(57)【要約】  本発明は、登録されている加入者が、その好ましいＩＤまたは名称をＶｏＩＰネットワーク・サービスに登録できるようにする。この登録された名称は次に、これらのユーザが別のネットワーク・ユーザに電話をかけることをネットワークに信号で知らせる場合に、呼設定メッセージの発呼側名称フィールドで転送される。この機能はまた、拡張発信者番号通知サービスまたはＲＣＬＩＤ（リッチ発呼側回線識別）としても知られる。
2008524968.tif 000002
【特許請求の範囲】
【請求項１】
通信ネットワークにおいて個人の識別を提供する方法であって、
加入者から呼設定メッセージを受け取る工程と、
前記加入者が個人識別ストリングを登録してあるかどうかを判別する工程と、
前記呼設定メッセージの発呼側名称フィールドに前記個人識別ストリングを挿入する工程とを備える方法。
【請求項２】
前記通信ネットワークはＶｏｉｃｅ  ｏｖｅｒ  Ｉｎｔｅｒｎｅｔ  Ｐｒｏｔｏｃｏｌ（ＶｏＩＰ）ネットワークである請求項１に記載の方法。
【請求項３】
前記個人識別ストリングは前記加入者によって電話インターフェイスまたはＷｅｂサイト・インターフェイスを介して登録される請求項１に記載の方法。
【請求項４】
前記個人識別ストリングは呼制御要素（ＣＣＥ）によって前記呼設定メッセージの前記発呼側名称フィールドに挿入される請求項１に記載の方法。
【請求項５】
前記個人識別ストリングはアプリケーション・サーバ（ＡＳ）から前記ＣＣＥによって取り出される請求項４に記載の方法。
【請求項６】
前記呼設定メッセージはＳｅｓｓｉｏｎ  Ｉｎｉｔｉａｔｉｏｎ  Ｐｒｏｔｏｃｏｌ（ＳＩＰ）信号メッセージである請求項１に記載の方法。
【請求項７】
前記呼設定メッセージは前記加入者によって発信されたＶｏＩＰエンドポイントまたは公衆交換電話網エンドポイントへの呼を完了するために使用される請求項１に記載の方法。
【請求項８】
前記ユーザによる前記個人識別ストリングを登録する工程をさらに備える請求項１に記載の方法。
【請求項９】
複数の命令を格納しているコンピュータ読み出し可能な媒体であって、前記複数の命令は、プロセッサによって実行されるとき、通信ネットワークの個人識別を提供する方法の工程をプロセッサに実行させる命令を含み、
加入者から呼設定メッセージを受け取る工程と、
前記加入者が個人識別ストリングを登録してあるかどうかを判別する工程と、
前記呼設定メッセージの発呼側名称フィールドに前記個人識別ストリングを挿入する工程とを備えるコンピュータ読み出し可能な媒体。
【請求項１０】
前記通信ネットワークはＶｏｉｃｅ  ｏｖｅｒ  Ｉｎｔｅｒｎｅｔ  Ｐｒｏｔｏｃｏｌ（ＶｏＩＰ）ネットワークである請求項９に記載のコンピュータ読み出し可能な媒体。
【請求項１１】
前記個人識別ストリングは前記加入者によって電話インターフェイスまたはＷｅｂサイト・インターフェイスを介して登録される請求項９に記載のコンピュータ読み出し可能な媒体。
【請求項１２】
前記個人識別ストリングは呼制御要素（ＣＣＥ）によって前記呼設定メッセージの前記発呼側名称フィールドに挿入される請求項９に記載のコンピュータ読み出し可能な媒体。
【請求項１３】
前記個人識別ストリングはアプリケーション・サーバ（ＡＳ）から前記ＣＣＥによって取り出される請求項１２に記載のコンピュータ読み出し可能な媒体。
【請求項１４】
前記呼設定メッセージはＳｅｓｓｉｏｎ  Ｉｎｉｔｉａｔｉｏｎ  Ｐｒｏｔｏｃｏｌ（ＳＩＰ）信号メッセージである請求項９に記載のコンピュータ読み出し可能な媒体。
【請求項１５】
前記呼設定メッセージは前記加入者によって発信されたＶｏＩＰエンドポイントまたは公衆交換電話網エンドポイントへの呼を完了するために使用される請求項９に記載のコンピュータ可読媒体。
【請求項１６】
前記ユーザによる前記個人識別ストリングを登録する工程をさらに備える請求項９に記載のコンピュータ読み出し可能な媒体。
【請求項１７】
通信ネットワークにおいて個人識別を提供するシステムであって、
加入者から呼設定メッセージを受け取る手段と、
前記加入者が個人識別ストリングを登録してあるかどうかを判別する手段と、
前記呼設定メッセージの発呼側名称フィールドに前記個人識別ストリングを挿入する手段とを備えるシステム。
【請求項１８】
前記通信ネットワークはＶｏｉｃｅ  ｏｖｅｒ  Ｉｎｔｅｒｎｅｔ  Ｐｒｏｔｏｃｏｌ（ＶｏＩＰ）ネットワークである請求項１７に記載のシステム。
【請求項１９】
前記個人識別ストリングは前記加入者によって電話インターフェイスまたはＷｅｂサイト・インターフェイスを介して登録される請求項１７に記載のシステム。
【請求項２０】
前記ユーザにより前記個人識別ストリングを登録するための手段をさらに備える請求項１７に記載のシステム。
【発明の詳細な説明】
【技術分野】
【０００１】
本発明は一般に、通信ネットワークに関し、具体的には、パケット交換ネットワーク・サービス、たとえばＶｏｉｃｅ  ｏｖｅｒ  Ｉｎｔｅｒｎｅｔ  Ｐｒｏｔｏｃｏｌ（ＶｏＩＰ）サービスにおける発呼（呼び出し）名称（ｃａｌｌ  ｎａｍｅ）フィールドの個別の名称識別を可能にする方法および装置に関する。
【背景技術】
【０００２】
ＶｏＩＰサービスの成長に伴って、ＶｏＩＰネットワークのユーザは、ＶｏＩＰネットワークの他のユーザと通信するようになる。インスタント・メッセージングのユーザとは異なり、ＶｏＩＰネットワークのユーザは、他のユーザと通信するときに、個人の（個別の）名称またはＩＤ（アイデンティティ）を使用することはできない。
【発明の開示】
【発明が解決しようとする課題】
【０００３】
したがって、パケット交換ネットワーク・サービス、たとえばＶｏｉｃｅ  ｏｖｅｒ  Ｉｎｔｅｒｎｅｔ  Ｐｒｏｔｏｃｏｌ（ＶｏＩＰ）サービスにおける発呼側の名称フィールド（ｃａｌｌｉｎｇ  ｎａｍｅ  ｆｉｅｌｄ）の個人の（個別の）名称識別を可能にする方法および装置の必要性がある。
【課題を解決するための手段】
【０００４】
１つの実施形態において、本発明は、登録されているＶｏＩＰ加入者が、その好ましいＩＤ（アイデンティティ）または名称を、たとえばＶｏＩＰサービスなどのパケット交換ネットワーク・サービスに登録できるようにする。この登録された名称は次に、これらのユーザが別のネットワーク・ユーザに電話をかけることをネットワークに信号で知らせる場合に、呼設定メッセージの発呼側名称フィールドで転送される。
【０００５】
本発明の教示は、添付の図面と併せて以下の詳細な説明を検討することにより容易に理解されうる。
理解を容易にするため、図面に共通の同一の要素を指定するように、可能な場合、同一の参照数字表示が使用されている。
【発明を実施するための最良の形態】
【０００６】
本発明により深く理解するため、図１は、たとえば本発明に関連するＶｏＩＰネットワークのようなパケット交換ネットワークなどの、ネットワークの例を示す。ＶｏＩＰネットワークは、コア・バックボーン・ネットワークに基づくインターネット・プロトコル／マルチプロトコル・ラベルスイッチング（ＩＰ／ＭＰＬＳ）上のキャリア（サービス・プロバイダ）ＶｏＩＰコア・インフラストラクチャに、さまざまな種類のアクセス・ネットワークを介して接続されているさまざまな種類の顧客エンドポイント装置を備えることができる。広義な定義によれば、ＶｏＩＰネットワークは、ＩＰネットワーク上で音声信号をパケット化データとして搬送することができるネットワークである。ＩＰネットワークは、インターネット・プロトコルを使用してデータパケットを交換するネットワークとして広義に定義される。
【０００７】
顧客エンドポイント装置は、時分割多重（ＴＤＭ）ベースまたはＩＰベースのいずれであってもよい。ＴＤＭベースの顧客エンドポイント装置１２２、１２３、１３４、および１３５は通常、ＴＤＭ電話または構内交換機（ＰＢＸ）を備える。ＩＰベースの顧客エンドポイント装置１４４および１４５は通常、ＩＰ電話またはＰＢＸを備える。ターミナルアダプタ（ＴＡ）１３２および１３３は、アナログ電話のようなＴＤＭ顧客エンドポイント装置と、デジタル加入者ループ（ＤＳＬ）またはケーブル・ブロードバンド・アクセス・ネットワークのようなパケットベースのアクセス・ネットワーク技術との間に必要な相互接続機能をもたらすために使用される。ＴＤＭベースの顧客エンドポイント装置は、公衆交換電話網（ＰＳＴＮ）１２０、１２１、またはＴＡ１３２または１３３経由のブロードバンド・アクセス・ネットワークのいずれかを使用することによりＶｏＩＰサービスにアクセスする。ＩＰベースの顧客エンドポイント装置は、それぞれＶｏＩＰゲートウェイまたはルータ１４２および１４３を備えるローカル・エリアネット・ワーク（ＬＡＮ）１４０および１４１を使用することによりＶｏＩＰサービスにアクセスする。
【０００８】
アクセス・ネットワークは、ＴＤＭまたはパケットベースのいずれであってもよい。ＴＤＭ  ＰＳＴＮ１２０または１２１は、従来の電話回線を介して接続されるＴＤＭ顧客エンドポイント装置をサポートするために使用される。フレーム・リレー、ＡＴＭ、イーサネット（登録商標）、またはＩＰなどのパケットベースのアクセス・ネットワークは、ＶｏＩＰゲートウェイおよびルータ１４２を備えるたとえば１４０の顧客ＬＡＮを介してＩＰベースの顧客エンドポイント装置をサポートするために使用される。ＴＡ１３２または１３３と共に使用される場合、ＤＳＬまたはケーブルなどのパケットベースのアクセス・ネットワーク１３０または１３１は、ＴＤＭベースの顧客エンドポイント装置をサポートするために使用される。
【０００９】
コアＶｏＩＰインフラストラクチャは、ボーダー要素（ＢＥ）１１２および１１３、呼制御要素（ＣＣＥ）１１１、およびＶｏＩＰ関連サーバ１１４など、いくつかの主要ＶｏＩＰコンポーネントを備える。ＢＥは、ＶｏＩＰコア・インフラストラクチャの端部に位置し、さまざまな種類のアクセス・ネットワーク上の顧客エンドポイントとインターフェイスを取る。ＢＥは通常、メディア・ゲートウェイとして実装され、信号方式、メディア制御、セキュリティ、および呼承認制御と関連機能を実行する。ＣＣＥは、ＶｏＩＰインフラストラクチャ内に位置し、基礎を成すＩＰ／ＭＰＬＳベースのコア・バックボーン・ネットワーク１１０上のＳｅｓｓｉｏｎ  Ｉｎｉｔｉａｔｉｏｎ  Ｐｒｏｔｏｃｏｌ（ＳＩＰ）を使用してＢＥに接続される。ＣＣＥは通常、メディア・ゲートウェイ・コントローラとして実装され、ネットワーク全体にわたる呼制御関連の機能を実行し、また必要に応じて適切なＶｏＩＰサービスと情報をやり取りする。ＣＣＥは、ＳＩＰのバックツーバックのユーザ・エージェントとして機能し、すべてのＢＥおよびＣＣＥ間のすべての呼レグの信号エンドポイントである。ＣＣＥは、たとえばＥ．１６４ボイス・ネットワーク・アドレスのＩＰアドレスへの変換など、特定のサービス固有の機能を必要とする呼を完了するために、さまざまなＶｏＩＰ関連のサーバと情報をやり取りすることが必要になることもある。
【００１０】
異なるキャリアで発信または終端する呼の場合、これらの呼はＰＳＴＮ１２０および１２１またはパートナーＩＰキャリア１６０の相互接続を通じて処理されうる。ＴＤＭ呼を発信または終端する場合、これらの呼は、他のキャリアへの既存のＰＳＴＮ相互接続を介して処理されうる。ＶｏＩＰ呼を発信または終端する場合、これらの呼は、他のキャリアへのパートナーＩＰキャリア・インターフェイス１６０を介して処理されうる。
【００１１】
さまざまなコンポーネントがＶｏＩＰ呼をサポートするように動作する方法を示すため、以下の呼のシナリオを使用して２つの顧客エンドポイント間でどのようにＶｏＩＰ呼がセットアップされるかを説明する。場所ＡにおいてＩＰ装置１４４を使用する顧客は、場所ＺにおいてＴＤＭ装置１３５を使用する別の顧客に電話をかける。呼設定中に、セットアップ信号メッセージは、ＩＰ装置１４４から、ＬＡＮ１４０、ＶｏＩＰゲートウェイ／ルータ１４２、および関連するパケットベースのアクセス・ネットワークを経由して、ＢＥ１１２に送信される。ＢＥ１１２は次に、ＳＩＰが使用される場合ＳＩＰ−ＩＮＶＩＴＥメッセージなどの、セットアップ信号メッセージをＣＣＥ１１１に送信する。ＣＣＥ１１１は、着呼側の情報を調べ、必要なＶｏＩＰサービス関連サーバ１１４にクエリーを行ってこの呼を完了するための情報を取得する。呼の完了にＢＥ１１３が関与する必要がある場合、ＣＣＥ１１１は、ＳＩＰが使用される場合ＳＩＰ−ＩＮＶＩＴＥメッセージなどの、もう１つの呼設定メッセージをＢＥ１１３に送信する。呼設定メッセージを受け取ると、ＢＥ１１３は、ブロードバンド・ネットワーク１３１を介して、呼設定メッセージをＴＡ１３３に転送する。次にＴＡ１３３は、適切なＴＤＭ装置１３５を識別し、その装置の呼び出し音を鳴らす。場所Ｚにおいて呼が着呼側によって受け入れられると、ＳＩＰが使用される場合ＳＩＰ−ＡＣＫメッセージなどの、呼肯定応答信号メッセージがＣＣＥ１１１に逆方向に送信される。ＣＣＥ１１１は、呼肯定応答メッセージを受け取った後、ＳＩＰが使用される場合ＳＩＰ−ＡＣＫメッセージなどの、呼肯定応答信号メッセージを発呼側に向けて送信する。加えて、ＣＣＥ１１１はさらに、呼び出しデータ交換がＢＥ１１２とＢＥ１１３の間で直接進行できるように、必要な呼の情報をＢＥ１１２およびＢＥ１１３の両方に供給する。呼信号パス１５０および呼データ・パス１５１は、図１に例示的に示される。２つのエンドポイント間で呼がセットアップされてしまえば、ＣＣＥ１１１が実際の直接データ交換のデータ・パス内にある必要はないので、呼信号パスと呼データ・パスは異なっていることに留意されたい。
【００１２】
任意のエンドポイント装置タイプをその関連付けられているアクセス・ネットワーク・タイプで使用する場所Ａの顧客は、任意のエンドポイント装置タイプをその関連付けられているネットワーク・タイプで使用する場所Ｚの別の顧客と通信することができることに留意されたい。たとえば、ＩＰ顧客エンドポイント装置１４４をパケットベースのアクセス・ネットワーク・タイプ１４０で使用する場所Ａの顧客は、ＴＤＭエンドポイント装置１２３をＰＳＴＮアクセス・ネットワーク１２１で使用する場所Ｚの別の顧客呼び出すことができることに留意されたい。ＢＥ１１２および１１３は、たとえばＳＳ７およびＳＩＰとの間の、必要な信号プロトコル変換、およびＴＤＭ音声フォーマットとＩＰベースのパケット音声フォーマットとの間などのメディア・フォーマット変換に対して責任を負う。
【００１３】
ＶｏＩＰサービスの成長に伴って、ＶｏＩＰネットワークのユーザは、ＶｏＩＰネットワークの他のユーザと通信するようになる。インスタント・メッセージングのユーザと同様に、ＶｏＩＰネットワークのユーザは、他のユーザと通信するときに、個人の（個別の）名称またはＩＤを使用したいと望むこともある。
【００１４】
この必要性に対応するため、本発明は、登録されているＶｏＩＰ加入者が、その好ましいＩＤまたは名称をＶｏＩＰネットワーク・サービスに登録できるようにする。この登録された名称は次に、これらのユーザが別のネットワーク・ユーザに電話をかけることをネットワークに信号で知らせる場合に、呼設定メッセージの発呼側名称フィールドで転送される。
【００１５】
図２は、ＶｏＩＰサービスにおける発呼側名称フィールドの個人の（個別の）名称識別を可能にする実施例を示す。加入者Ａ、２２１は、ネットワーク２００においてＶｏＩＰサービスの加入者である。加入者Ａはまた、発呼側名称フィールド・サービス機能の個別名称識別を契約して登録してある。個人（個別）識別ストリングの登録は、顧客管理エージェントとの電話インターフェイスを通じて、またはＷｅｂサイト・インターフェイスを介して実行される。加入者Ａは、加入者Ｂ、２２２に電話をかける。ＣＣＥ２１１は、加入者Ａから呼設定メッセージ２３１を受け取る。ＣＣＥ２１１は、発呼側Ａが加入しているサービスのタイプの検索を実行し、加入者Ａが発呼側名称フィールド・サービス機能の個人名称識別を登録してあることを見い出す。登録されている名称ＩＤストリングは、アプリケーション・サーバ（ＡＳ）２１４から取り出される。次いで、ＣＣＥ２１１は、加入者Ａの登録されている名称ＩＤストリングを、呼設定メッセージの発呼側名称フィールドに挿入することにより、呼設定メッセージ２３３の処理を続行する。ＣＣＥ２１１は次に、着呼側である加入者Ｂに呼設定メッセージを送信して、呼設定を完了する。このサービス機能がＶｏＩＰおよびＰＳＴＮの両方の着呼側エンドポイントに適用されることに留意されたい。
【００１６】
１つの実施形態において、個人識別ストリングは、加入者によって望まれた文字および／または数字の任意の組み合わせであってもよい。そのようなものであるため、１つの実施形態において、個人識別ストリングは加入者の実際の名称ではない。そのようなものであるため、本発明は、発呼側に匿名性および／または識別の柔軟性をもたらすサービス機能である。
【００１７】
図３は、たとえばＶｏＩＰサービスなどのパケット交換サービスにおける発呼側名称フィールドの個人識別を可能にする方法を示す流れ図である。１つの実施形態において、方法はＣＣＥによって実行される。方法３００はステップ３０５において開始し、ステップ３１０に進む。
【００１８】
ステップ３１０において、方法は、ＶｏＩＰサービスの加入者から呼設定メッセージ（たとえば、Ｓｅｓｓｉｏｎ  Ｉｎｉｔｉａｔｉｏｎ  Ｐｒｏｔｏｃｏｌ（ＳＩＰ）信号メッセージ）を受け取る。１つの実施形態において、ＶｏＩＰサービスは、発呼側名称フィールド・サービスの個人名称識別である。
【００１９】
ステップ３２０において、方法は、加入者が発呼側名称フィールド・サービス機能の個人名称識別も契約していることを見い出し、アプリケーション・サーバ（ＡＳ）から登録されている個人名称ＩＤストリングを取り出す。１つの実施形態において、ＣＣＥは、この情報をＡＳから取得する。
【００２０】
ステップ３３０において、方法は、登録されている個人名称ＩＤストリングを呼設定メッセージの発呼側名称フィールドに挿入し、次いで着呼側にメッセージを送信して呼設定手順を完了する。方法は、ステップ３４０において終了する。
【００２１】
図４は、本明細書に説明される機能を実行する際の使用に適した汎用コンピュータを示す高レベルブロック図である。図４に示されるように、システム４００は、プロセッサ要素４０２（たとえばＣＰＵ）、たとえばランダム・アクセス・メモリ（ＲＡＭ）および／または読み取り専用メモリ（ＲＯＭ）などのメモリ４０４、個人の発呼側名称識別モジュール４０５、およびさまざまな入出力装置４０６（たとえば、テープ・ドライブ、フロッピー（登録商標）・ドライブ、ハードディスク・ドライブまたはコンパクトディスク・ドライブ、受信機、送信機、スピーカ、ディスプレイ、音声合成装置、出力ポート、およびユーザ入力装置（キーボード、キーパッド、マウスなど）を含む記憶装置など、ただしこれらに限定されることはない）を備える。
【００２２】
本発明が、ソフトウェアにおいて、および／またはソフトウェアと、たとえば特殊用途向け集積回路（ＡＳＩＣ）、汎用コンピュータ、または他のハードウェアの等価物などのハードウェアとの組み合わせで実施されうることに留意されたい。１つの実施形態において、本明細書の個人発呼側名称識別モジュールまたはプロセス４０５は、メモリ４０４にロードされ、前述の機能を実施するためにプロセッサ４０２によって実行されうる。そのようなものとして、本発明の個人発呼側名称識別プロセス４０５（関連するデータ構造を含む）は、たとえばＲＡＭメモリ、磁気または光ドライブあるいはディスケットなどの、コンピュータ可読媒体またはキャリアに格納されうる。
【００２３】
以上さまざまな実施形態が説明されたが、それらの実施形態は例示としてのみ呈示されており、限定的なものではないことを理解されたい。したがって、好ましい実施形態の広がりと範囲は、前述の模範的な実施形態のいずれによっても限定されるべきではなく、添付の特許請求の範囲およびそれらの等価物に従ってのみ定義されるべきである。
【図面の簡単な説明】
【００２４】
【図１】本発明に関連する模範的なＶｏｉｃｅ  ｏｖｅｒ  Ｉｎｔｅｒｎｅｔ  Ｐｒｏｔｏｃｏｌ（ＶｏＩＰ）ネットワークを示す図である。
【図２】本発明のＶｏＩＰサービスにおける発呼側名称フィールドの個人名称識別を可能にする実施例を示す図である。
【図３】本発明のＶｏＩＰサービスにおける発呼側名称フィールドの個人名称識別を可能にする方法を示す流れ図である。
【図４】本明細書に説明される機能を実行する際の使用に適した汎用コンピュータを示す高レベル・ブロック図である。
【図１】
2008524968.tif 000003
【図２】
2008524968.tif 000004
【図３】
2008524968.tif 000005
【図４】
2008524968.tif 000006
【国際調査報告】
2008524968.tif 000007
2008524968.tif 000008